【手続補正書】
【提出日】平成19年9月28日(2007.9.28)
【手続補正１】
【補正対象書類名】特許請求の範囲
【補正対象項目名】全文
【補正方法】変更
【補正の内容】
【特許請求の範囲】
【請求項１】
システムやアプリケーションソフトの設定データが記録されているデータベースであるレジストリへの前記設定データの登録及び削除を行なう情報処理システムであって、
前記レジストリの登録及び削除を行なうレジストリ操作手段と、前記システムのインストールを自動的に行ない、当該インストール作業を支援するインストール手段と、該インストール手段によりインストールしたアプリケーションを削除し、インストール前の状態に戻すアンインストール手段と、前記インストール手段から出力されるインストールされる環境情報を格納するインストール環境情報格納手段と、前記アンインストール手段から出力されるアンインストールされる環境情報を格納するアンインストール環境情報格納手段と、前記システムの構成部品であるモジュールごとに前記レジストリに登録させる情報を格納するレジストリ登録情報格納手段と、前記モジュールごとに前記レジストリから削除させる情報を格納するレジストリ削除情報格納手段と、を備えたことを特徴とする情報処理システム。
【請求項２】
前記レジストリへ前記設定データを登録する場合、前記モジュールごとに前記レジストリ情報を定義してファイルに出力し、前記レジストリ操作手段が当該ファイルから登録するレジストリ情報を読み込み、読み込んだレジストリ情報を前記レジストリ登録情報格納手段に格納することを特徴とする請求項１に記載の情報処理システム。
【請求項３】
前記レジストリへ前記設定データを登録する場合、前記インストール手段がインストールする環境情報を定義してファイルに出力すると共に、前記モジュールごとに前記レジストリ情報を定義してファイルに出力し、前記レジストリ操作手段が当該ファイルから、登録するレジストリ情報及び環境情報を読み込み、読み込んだレジストリ情報を前記レジストリ登録情報格納手段に格納することを特徴とする請求項１に記載の情報処理システム。
【請求項４】
前記レジストリから前記設定データを削除する場合、前記モジュールごとに前記レジストリ情報を定義してファイルに出力し、前記レジストリ操作手段が当該ファイルから、削除するレジストリ情報を読み込み、読み込んだレジストリ情報を前記レジストリ削除情報格納手段に格納することを特徴とする請求項１に記載の情報処理システム。
【請求項５】
前記レジストリから前記設定データを削除する場合、前記アンインストール手段がアンインストールする環境情報を定義してファイルに出力すると共に、前記モジュールごとに前記レジストリ情報を定義してファイルに出力し、前記レジストリ操作手段が当該ファイルから、削除するレジストリ情報及び環境情報を読み込み、読み込んだレジストリ情報を前記レジストリ削除情報格納手段に格納することを特徴とする請求項１に記載の情報処理システム。
【請求項６】
システムやアプリケーションソフトの設定データが記録されているデータベースであるレジストリへの前記設定データの登録及び削除を行なう情報処理方法であって、
前記レジストリの登録及び削除を行なうレジストリ操作ステップと、前記システムのインストールを自動的に行ない、当該インストール作業を支援するインストールステップと、該インストールステップによりインストールしたアプリケーションを削除し、インストール前の状態に戻すアンインストールステップと、前記インストールステップから出力されるインストールされる環境情報を格納するインストール環境情報格納ステップと、前記アンインストールステップから出力されるアンインストールされる環境情報を格納するアンインストール環境情報格納ステップと、前記システムの構成部品であるモジュールごとに前記レジストリに登録させる情報を格納するレジストリ登録情報格納ステップと、前記モジュールごとに前記レジストリから削除させる情報を格納するレジストリ削除情報格納ステップと、を備えたことを特徴とする情報処理方法。
【請求項７】
前記レジストリへ前記設定データを登録する場合、前記モジュールごとに前記レジストリ情報を定義してファイルに出力し、前記レジストリ操作ステップが当該ファイルから登録するレジストリ情報を読み込み、読み込んだレジストリ情報を前記レジストリ登録情報格納ステップにより格納することを特徴とする請求項６に記載の情報処理方法。
【請求項８】
前記レジストリへ前記設定データを登録する場合、前記インストールステップがインストールする環境情報を定義してファイルに出力すると共に、前記モジュールごとに前記レジストリ情報を定義してファイルに出力し、前記レジストリ操作ステップが当該ファイルから、登録するレジストリ情報及び環境情報を読み込み、読み込んだレジストリ情報を前記レジストリ登録情報格納ステップにより格納することを特徴とする請求項６に記載の情報処理方法。
【請求項９】
前記レジストリから前記設定データを削除する場合、前記モジュールごとに前記レジストリ情報を定義してファイルに出力し、前記レジストリ操作ステップが当該ファイルから、削除するレジストリ情報を読み込み、読み込んだレジストリ情報を前記レジストリ削除情報格納ステップにより格納することを特徴とする請求項６に記載の情報処理方法。
【請求項１０】
前記レジストリから前記設定データを削除する場合、前記アンインストールステップがアンインストールする環境情報を定義してファイルに出力すると共に、前記モジュールごとに前記レジストリ情報を定義してファイルに出力し、前記レジストリ操作ステップが当該ファイルから、削除するレジストリ情報及び環境情報を読み込み、読み込んだレジストリ情報を前記レジストリ削除情報格納ステップにより格納することを特徴とする請求項６に記載の情報処理方法。
【請求項１１】
システムやアプリケーションソフトの設定データが記録されているデータベースであるレジストリへの前記設定データの登録及び削除を制御するためにコンピュータを、
前記レジストリの登録及び削除を行なうレジストリ操作手段、前記システムのインストールを自動的に行ない、当該インストール作業を支援するインストール手段、該インストール手段によりインストールしたアプリケーションを削除し、インストール前の状態に戻すアンインストール手段、前記インストール手段から出力されるインストールされる環境情報を格納するインストール環境情報格納手段、前記アンインストール手段から出力されるアンインストールされる環境情報を格納するアンインストール環境情報格納手段、前記システムの構成部品であるモジュールごとに前記レジストリに登録させる情報を格納するレジストリ登録情報格納手段、前記モジュールごとに前記レジストリから削除させる情報を格納するレジストリ削除情報格納手段として機能させるための情報処理プログラム。
【請求項１２】
請求項１１に記載の情報処理プログラムをコンピュータが読み取り可能な形式で記録したことを特徴とする記録媒体。
【手続補正２】
【補正対象書類名】明細書
【補正対象項目名】発明の名称
【補正方法】変更
【補正の内容】
【発明の名称】情報処理システム、情報処理方法、情報処理プログラム及び記録媒体
【手続補正３】
【補正対象書類名】明細書
【補正対象項目名】０００７
【補正方法】変更
【補正の内容】
【０００７】
請求項６は、システムやアプリケーションソフトの設定データが記録されているデータベースであるレジストリへの前記設定データの登録及び削除を行なう情報処理方法であって、前記レジストリの登録及び削除を行なうレジストリ操作ステップと、前記システムのインストールを自動的に行ない、当該インストール作業を支援するインストールステップと、該インストールステップによりインストールしたアプリケーションを削除し、インストール前の状態に戻すアンインストールステップと、前記インストールステップから出力されるインストールされる環境情報を格納するインストール環境情報格納ステップと、前記アンインストールステップから出力されるアンインストールされる環境情報を格納するアンインストール環境情報格納ステップと、前記システムの構成部品であるモジュールごとに前記レジストリに登録させる情報を格納するレジストリ登録情報格納ステップと、前記モジュールごとに前記レジストリから削除させる情報を格納するレジストリ削除情報格納ステップと、を備えたことを特徴とする。
請求項７は、前記レジストリへ前記設定データを登録する場合、前記モジュールごとに前記レジストリ情報を定義してファイルに出力し、前記レジストリ操作ステップが当該ファイルから登録するレジストリ情報を読み込み、読み込んだレジストリ情報を前記レジストリ登録情報格納ステップにより格納することを特徴とする。
請求項８は、前記レジストリへ前記設定データを登録する場合、前記インストールステップがインストールする環境情報を定義してファイルに出力すると共に、前記モジュールごとに前記レジストリ情報を定義してファイルに出力し、前記レジストリ操作ステップが当該ファイルから、登録するレジストリ情報及び環境情報を読み込み、読み込んだレジストリ情報を前記レジストリ登録情報格納ステップにより格納することを特徴とする。
請求項９は、前記レジストリから前記設定データを削除する場合、前記モジュールごとに前記レジストリ情報を定義してファイルに出力し、前記レジストリ操作ステップが当該ファイルから、削除するレジストリ情報を読み込み、読み込んだレジストリ情報を前記レジストリ削除情報格納ステップにより格納することを特徴とする。
請求項１０は、前記レジストリから前記設定データを削除する場合、前記アンインストールステップがアンインストールする環境情報を定義してファイルに出力すると共に、前記モジュールごとに前記レジストリ情報を定義してファイルに出力し、前記レジストリ操作ステップが当該ファイルから、削除するレジストリ情報及び環境情報を読み込み、読み込んだレジストリ情報を前記レジストリ削除情報格納ステップにより格納することを特徴とする。
請求項１１は、システムやアプリケーションソフトの設定データが記録されているデータベースであるレジストリへの前記設定データの登録及び削除を制御するためにコンピュータを、前記レジストリの登録及び削除を行なうレジストリ操作手段、前記システムのインストールを自動的に行ない、当該インストール作業を支援するインストール手段、該インストール手段によりインストールしたアプリケーションを削除し、インストール前の状態に戻すアンインストール手段、前記インストール手段から出力されるインストールされる環境情報を格納するインストール環境情報格納手段、前記アンインストール手段から出力されるアンインストールされる環境情報を格納するアンインストール環境情報格納手段、前記システムの構成部品であるモジュールごとに前記レジストリに登録させる情報を格納するレジストリ登録情報格納手段、前記モジュールごとに前記レジストリから削除させる情報を格納するレジストリ削除情報格納手段として機能させる。
本発明は請求項１と同様の作用効果を奏する。
請求項１２は、請求項１１に記載の情報処理プログラムをコンピュータが読み取り可能な形式で記録したことを特徴とする。
【手続補正４】
【補正対象書類名】明細書
【補正対象項目名】０００８
【補正方法】変更
【補正の内容】
【０００８】
請求項１、６、１１の発明によれば、レジストリへの設定データの登録及び削除を行なう情報処理システムとして、一般的なコンピュータの構成により実現されるので、特別のハードウェアを用意する必要がなく、システムコストを安価にすることができる。
また請求項２、７では、レジストリへの設定データの登録は、まずモジュールごとにレジストリ情報を定義してファイルに出力し、このファイルから登録するレジストリ情報を読み込み、レジストリ登録情報格納手段に格納するので、インストーラで行なっている設定情報の定義、登録を行なわずに済み、インストーラの負荷の軽減、及びモジュールとインストーラ間の伝達コストの低減が可能となる。
また請求項３、８では、レジストリへの設定データの登録は、まずインストールする環境情報を定義してファイルに出力すると共に、モジュールごとにレジストリ情報を定義してファイルに出力し、このファイルから登録するレジストリ情報を読み込み、レジストリ登録情報格納手段に格納するので、インストーラで行なっている登録する設定情報の変更を行なわずに済み、インストーラの負荷の軽減、及びモジュールとインストーラ間の伝達コストの低減が可能となる。
また請求項４、９では、レジストリからの設定データの削除は、まずモジュールごとにレジストリ情報を定義してファイルに出力し、このファイルから削除するレジストリ情報を読み込み、レジストリ削除情報格納手段に格納するので、インストーラで行なっている設定情報の定義、削除を行なわずに済み、アンインストーラの負荷の軽減、及びモジュールとインストーラ間の伝達コストの低減が可能となる。
また請求項５、１０では、レジストリへの設定データの削除は、まずインストールする環境情報を定義してファイルに出力すると共に、モジュールごとにレジストリ情報を定義してファイルに出力し、このファイルから削除するレジストリ情報を読み込み、レジストリ削除情報格納手段に格納するので、インストーラで行なっている削除する設定情報の変更を行なわずに済み、インストーラの負荷の軽減、及びモジュールとインストーラ間の伝達コストの低減が可能となる。
また請求項１２では、情報処理プログラムをコンピュータが読み取り可能な形式で記録媒体に記録することにより、この記録媒体を持ち運ぶことにより何処でもプログラムを稼動することができる。